(57)【要約】  手術装置ハンドルは、手術装置ハンドルを操作することによって、手術装置ヘッドの顕微手術装置を操作するように、手術装置ヘッドに取外し可能に取付け可能である。装置ハンドルは、ピストンが往復移動するように、ロッドに取り付けられるピストンを有する細長い中心ロッドを含む。このピストンは、ヘッドの顕微手術装置が動作するように、取り付けられた手術装置ヘッド内にあるピストンと係合する。テーパ形のリングが、ロッドに載置され、ピストンを往復移動させるようにピストンと係合する。複数の弾力性のあるアームが、ロッドの長さに沿って延び、リングの摺動表面に対して係合する。複数の弾力性のあるアームは、交互に、外科医の手で径方向内側に絞られ、弾力性のあるアームが径方向外向きに撓むことが可能になるように、外科医の手によって解放される。複数のアームの内向きおよび外向き移動によって、ハンドルロッド上のピストンが往復移運して、手術装置ヘッドが動作する。ハンドルに対する弾力性のあるアームの径方向の位置は、外科医の要求どおりに調節可能である。
2007514465.tif 000002
【特許請求の範囲】
【請求項１】
手術装置ハンドルであって、
互いに垂直な軸方向と径方向を規定する中心軸を有する細長いロッドを備え、該細長いロッドが、軸方向に反対側の近位端および遠位端を備える長さを有し、細長いロッド遠位端が、手術装置ヘッドに取り付けられるように構成され、前記手術装置ハンドルがさらに、
ピストンを備え、該ピストンが、細長いロッド遠位端に向かって、かつ細長いロッド遠位端から遠ざかってピストンが軸方向に往復移動するように、細長いロッド遠位端に隣接して細長いロッドに載置され、前記手術装置ハンドルがさらに、
前方把持部材を備え、該前方把持部材が、細長いロッドに対する前方把持部材の第１の位置と第２の位置との間で軸方向に移動するように、細長いロッドに載置され、前方把持部材が、複数の弾力性のあるアームを有し、該アームが、細長いロッドに沿ってアームの遠位端まで延び、アーム遠位端が、ピストンに作用するように係合し、アーム遠位端を径方向内向きに手動で動かすと、ピストンが細長いロッド遠位端に向かって軸方向に動き、ピストンが細長いロッド遠位端から遠ざかるように軸方向に動くと、アーム遠位端が径方向外向きに動き、前方把持部材が細長いロッドに対して第１の位置にあるときは、アーム遠位端間に第１の径方向の間隔が存在し、前方把持部材が細長いロッドに対して第２の位置にあるときは、アーム遠位端間に第２の径方向の間隔が存在し、第２の径方向の間隔が、第１の径方向の間隔よりも大きい、手術装置ハンドル。
【請求項２】
手術装置ヘッドに取外し可能に取付け可能な手術装置ハンドルであって、
反対側の近位端および遠位端を備える長さを有する円筒形の基部を備え、基部近位端が、外部ねじ山および内部ねじ山を有し、前記手術装置ハンドルがさらに、
反対側の近位端および遠位端を有する細長いロッドを備え、細長いロッド近位端が、円筒形の基部遠位端に固定され、細長いロッド遠位端が、手術装置ヘッドをコネクタに取外し可能に取り付けるように構成されたコネクタを有し、コネクタが、コネクタを貫く中心孔を有し、細長いロッド遠位端が、細長いロッド遠位端を貫くコネクタに隣接したスロットを有し、前記手術装置ハンドルがさらに、
ピストンを備え、該ピストンが、細長いロッド遠位端のスロット内で往復動作するように細長いロッド遠位端でスロットに受けられ、ピストンが、スロット内に配置された近位端を有し、ピストンが、コネクタ中心孔を通って突出する遠位端を有し、前記手術装置ハンドルがさらに、
リングを備え、該リングが、細長いロッドを覆ってリングが摺動動作するように細長いロッドに載置され、リングが、ピストン近位端と係合し、前記手術装置ハンドルがさらに、
細長いロッドのある位置に細長いロッドに載置されたピストンストップを備え、前記細長いロッドのある位置で、ピストンストップが、リングと係合し、かつリングが細長いロッド近位端に向かってさらに摺動するのを防止し、前記手術装置ハンドルがさらに、
前方把持部材を備え、該前方把持部材が、円筒形の基部遠位端での前方把持部材の往復移動が制限されるように円筒形の基部遠位端に載置され、前方把持部材は、複数の弾力性のあるアームを有し、弾力性のあるアームが、細長いロッドの周りに円周方向に配置され、かつ円筒形の基部から細長いロッドに沿って弾力性のあるアーム遠位端まで突出し、弾力性のあるアーム遠位端が、リングと係合し、前記手術装置ハンドルがさらに、
円筒形の基部の外部ねじ山とかみ合う内部ねじ山を有する内部孔を有する後方把持部材を備え、後方把持部材を第１の方向に回転すると、後方把持部材が細長いロッド遠位端に向かって動き、かつ前方把持部材を押して細長いロッド遠位端に向かって動かし、前方把持部材の弾力性のあるアームの遠位端がリングにわたって動き、かつ円周方向外向きに細長いロッドから遠ざかるように動き、後方把持部材を第２の方向に回転すると、後方把持部材が細長いロッド遠位端から遠ざかるように動き、かつ弾力性のあるアームの遠位端がリングにわたって動き、かつ前方把持部材を押して細長いロッド遠位端から遠ざかるように動かす前方把持部材を押す細長いロッドに向かって円周方向内向きに動く、手術装置ハンドル。
【請求項３】
手術装置ハンドルであって、
互いに垂直な軸方向と径方向を規定する中心軸を有する細長いロッドを備え、該細長いロッドが、軸方向に反対側の近位端および遠位端を備える長さを有し、細長いロッド遠位端が、手術装置ヘッドに取り付けられるように構成され、前記手術装置ハンドルがさらに、
ピストンを備え、該ピストンが、細長いロッド遠位端に向かって、かつ細長いロッド遠位端から遠ざかってピストンが軸方向に往復移動するように、細長いロッド遠位端に隣接して細長いロッドに載置され、前記手術装置ハンドルがさらに、
前方把持部材を備え、該前方把持部材が、細長いロッドに対する前方把持部材の第１の位置と第２の位置との間で軸方向に移動するように、細長いロッドに作用するように連結され、前記手術装置ハンドルがさらに、
前方把持部材に作用するように連結され、かつピストンに作用するように連結された複数の弾力性のあるアームを備え、アームを径方向内向きに手動で動かすと、ピストンが細長いロッド遠位端に向かって軸方向に動き、ピストンが細長いロッド遠位端から遠ざかるように軸方向に動くと、アームが径方向外向きに動き、前方把持部材が細長いロッドに対して第１の位置にあるときは、アーム間に第１の径方向の間隔が存在し、前方把持部材が細長いロッドに対して第２の位置にあるときは、アーム間に第２の径方向の間隔が存在し、第２の径方向の間隔が、第１の径方向の間隔よりも大きい、手術装置ハンドル。
【請求項４】
細長いロッドの遠位端が、細長いロッドを手術装置ヘッドに取り付けるコネクタを有することをさらに含む、請求項３に記載のハンドル。
【請求項５】
細長いロッドのコネクタが、手術装置ヘッドをコネクタに取外し可能に取り付けるように構成されることをさらに含む、請求項４に記載のハンドル。
【請求項６】
コネクタが、コネクタを貫く中心孔を有することと、
ピストンが、反対側の近位端および遠位端を有し、ピストン遠位端が、コネクタ中心孔を通って延びることとをさらに含む、請求項４に記載のハンドル。
【請求項７】
細長いロッド遠位端が、コネクタに隣接したスロットを有することと、
ピストン近位端が、スロット内でピストン近位端が往復移動し、かつコネクタ孔内でピストン遠位端が往復移動するように、スロット内に配置されることとをさらに含む、請求項６に記載のハンドル。
【請求項８】
リングが、細長いロッド近位端に向かって、かつ細長いロッド遠位端に向かってリングが往復移動するように細長いロッドに載置され、リングが、ピストンと係合することをさらに含む、請求項３に記載のハンドル。
【請求項９】
リングが、摺動表面を有することと、
複数の弾力性のあるアームは、リングが細長いロッド近位端に向かって動くとき、ならびにリングが細長いロッド遠位端に向かって動くときに、アームが摺動表面上で摺動移動するように、リング摺動表面と係合し、複数の弾力性のあるアームが、リング摺動表面でのアームの摺動移動に応答して、アーム間の第１の径方向間隔と、アーム間の第２の径方向間隔との間を動くこととをさらに含む、請求項８に記載のハンドル。
【請求項１０】
複数の弾性力のあるアームが、前方把持部材から細長いロッドに沿って、リングと係合するアーム遠位端まで延び、前方把持部材が細長いロッドに対して軸方向に動くと、アーム遠位端が細長いロッドおよびリングに対して動くことをさらに含む、請求項８に記載のハンドル。
【請求項１１】
後方把持部材が、細長いロッド遠位端に向かって、かつ細長いロッド遠位端から遠ざかって動くように細長いロッドに作用するように連結され、後方把持部材が、前方把持部材に作用するように連結され、細長いロッド遠位端に向かう、かつ細長いロッド遠位端から遠ざかる後方把持部材の移動に応答して、前方把持部材が細長いロッドに対して軸方向に動くことをさらに含む、請求項１０に記載のハンドル。
【請求項１２】
複数の弾性力のあるアームが、前方把持部材から細長いロッドに沿って、ピストンに作用するように係合するアーム遠位端まで延び、前方把持部材が細長いロッドに対して軸方向に動くと、アームの遠位端が細長いロッドに対して動くことをさらに含む、請求項３に記載のハンドル。
【請求項１３】
複数の弾性力のあるアームが、細長いロッドおよびピストンの周りに円周方向に配置されることをさらに含む、請求項１２に記載のハンドル。
【請求項１４】
後方把持部材が、細長いロッド遠位端に向かって、かつ細長いロッド遠位端から遠ざかって後方把持部材が動くように細長いロッドに作用するように連結され、後方把持部材が、前方把持部材に作用するように連結され、細長いロッド遠位端に向かう、かつ細長いロッド遠位端から遠ざかる移動に応答して、前方把持部材が細長いロッドに対して軸方向に動くことをさらに含む、請求項１２に記載のハンドル。
【発明の詳細な説明】
【技術分野】
【０００１】
本発明は、手術装置ヘッドに取り付けられ、装置ヘッドの手術装置を動作させる手術装置ハンドルに関する。
【発明を実施するための最良の形態】
【０００２】
本発明の特徴は、以下の本発明の好ましい実施形態の詳細な説明を以下の図面と併せ読むことで明らかになる。
【０００３】
本発明の手術装置ハンドルは、Ｓｃｈｅｌｌｅｒ他の米国特許第５，３７０，６５８号およびＧａｍｐｐ，Ｊｒ他の米国特許第５，８９３，８７７号で開示されたタイプの顕微手術装置ヘッドで使用され、これらの特許を両方とも参照により本明細書に組み込む。これらの特許で開示された手術装置ヘッドは、その近位端でのヘッドピストンの往復移動に応答して動作する手術装置をその遠位端に有する。本発明の装置ハンドルは、上記特許に開示されたタイプの手術装置ヘッドに取り付けられ、その装置ヘッドの手術装置を動作させるように構成される。
【０００４】
本発明の装置ハンドルは、以下に説明する方法で、手動で動作される。この装置ハンドルのピストンを動かし、このピストンが、ハンドルに取り付けられた手術装置ヘッドのヘッドピストンを動かす。このように、本発明の装置ハンドルは、上記特許に記載されたタイプの手術装置ヘッドを動作させる。本発明の装置ハンドルを操作する際は、ハンドルピストンを、装置ヘッドのばね付勢式ピストンに対して動かして、装置ヘッド遠位端で、手術装置における第１の段階の移動を発生させる。装置ハンドルのピストンに対する装置ヘッドピストンの付勢によって、手術装置は、装置ヘッド遠位端でその移動の第１の段階からその移動の第２の段階まで動く。
【０００５】
本発明の手術装置ハンドルは、基本的に、内部組立体および外部組立体からなる。内部組立体は、円筒形の基部１２、細長いロッド１４、ピストン１６、リング１８、ピストンストップ２２、およびリアキャップ２４を含む。
【０００６】
円筒形の基部１２は、反対側の近位端２６および遠位端２８を有する中心軸を含む。外部ねじ山３２が、基部近位端２６に隣接した基部の外部に設けられている。中心孔３４が基部を貫いて延びる。ピンホール３６が、基部を横断方向に貫いて延び、中心孔３４と交差する。内部ねじ山３７が、基部近位端２６に隣接した中心孔３４内に設けられている。
【０００７】
細長いロッド１４は、中心軸と、反対側の近位端３８および遠位端４２とを有する。ピンホール４４が、ロッド近位端３８を横断方向に貫いて延びる。外部ねじ山を有する手術装置ヘッドコネクタ４６が、ロッド遠位端４２に設けられている。装置コネクタ４６は、軸方向の中心孔４８を有する。ピストンスロット５２が、ロッド１４を横断方向に貫いて延び、装置コネクタ４６に隣接した短い距離にわたって、ロッドに沿って軸方向に延びる。スロット５２は、装置コネクタ中心孔４８と交差する。
【０００８】
ピストン１６は、ロッドスロット５２を通って、このピストンが軸方向に往復移動するように、ロッドスロット５２に受けられる。ピストン１６は、ピストン１６の反対側の近位端５６と遠位端５８の中間に、横断方向に延びる肩５４の対を有する。ピストン遠位端５８は、肩５４の対からロッド装置コネクタ４６の中心孔４８を通って突出する。
【０００９】
リング１８は、リングが軸方向に摺動移動するようにロッド１４に載置される。リングは、リングの遠位端面６４にくぼめられた環状空洞６２を有する。環状空洞６２は、ピストン１６をリング１８に作用するように連結するようにピストン肩５４を受ける。リング１８の近位端面６６が、円錐形の摺動表面として形成される。
【００１０】
ピストンストップ２２は円筒形であり、細長いロッド１４を受ける中心孔６８を有する。ピストンストップ２２は、ロッド遠位端にあるスロット５２に隣接して配置される。止めねじ７２が、ピストンストップ２２の側部にある内部ねじ付き穴７４内に受けられ、細長いロッド１４と係合して、ロッド上の所望の位置にピストンストップを固定する。ロッド１４上のピストンストップ２２の位置により、ロッド近位端３８に向かうピストン１６の移動を制限する。
【００１１】
リアキャップ２４は、外部ねじ付きシャンク７６および円筒形のヘッド７８を備える。リアキャップシャンク７６のねじ山は、基部近位端２６の内部ねじ山３７内にねじ止めされ、基部近位端で基部の中空内部を塞ぐ。
【００１２】
手術装置ハンドルの外部組立体は、管状の前方把持部材８２、管状の後方把持部材８４、およびピン８６からなる。前方把持部材８２は、中心軸が把持部材の長さを通って延びる中心孔８７を有する。孔８７は、把持部材の近位端８８から遠位端９２まで延びる。直径方向に対向する細長いスロット９４の対が、近位端８８に隣接した前方把持部材８２を横断方向に貫いて形成される。スロット９４は、近位端８８に隣接した前方把持部材の長さの一部分に沿って軸方向に延びる。前方把持部材の内部孔表面９６の一部は、内部孔から前方把持部材遠位端９２まで延びるにつれ、径方向外向きにテーパになっている。複数の軸方向に延びるスロット９８が、前方把持部材８２内で前方把持部材遠位端９２に形成される。軸方向のスロット９８は、遠位端９２から前方把持部材８２の長さに沿って延びるが、前方把持部材近位端８８の手前で終わる。軸方向のスロット９８は、前方把持部材の内部孔８７の周りに円周方向に配置された、複数の弾力性のあるアーム１０２を形成する。
【００１３】
後方把持部材８４は、反対側の近位端１０４および遠位端１０６を有する円筒形の管である。後方把持部材８４の外部表面は滑らかである。内部ねじ山１０８が、遠位端１０６に隣接した後方把持部材８４内部に設けられている。内部ねじ山１０８は、基部１２の外部ねじ山３２と相補的である。
【００１４】
手術装置ハンドルは、まず、ロッド遠位端４２でスロット５２内にピストン１６を配置することによって組み立てられる。次いで、リング１８が、ロッドを覆って配置され、ピストン肩５４が、リング環状空洞６２内に受けられる。次いで、ピストンストップ２２が、スロット５２に隣接したロッドを覆って配置される。ピストンストップ２２は、スロット５２に隣接した所望な位置に、ストップの止めねじ穴７４内に止めねじ７２を締めることによって固定される。次いで、細長いロッドの近位端３８が、基部遠位端２８のところで基部中心孔３４内に挿入される。ロッドのピンホール４４が、基部のピンホール３６と位置合わせされる。
【００１５】
次いで、装置ハンドルの外部組立体が、内部組立体上に組み立てられる。前方把持部材８２が、細長いロッド１４を覆って、かつ基部１２の近位端２６を覆って配置される。前方把持部材８２のピンスロット９４が、基部ピンホール３６およびロッドピンホール４４と位置合わせされ、ピン８６が、位置合わせされたホールおよびスロットを通って挿入される。これによって、ロッド１４が基部１２に固定され、前方把持部材８２がロッドおよび基部に載置されて、ロッド１４および基部１２に対する前方把持部材８２の軸方向の移動が制限される。
【００１６】
次いで、後方把持部材の遠位端１０６で内部ねじ山１０８を基部の外部ねじ山３２にねじ込むことによって、後方把持部材８４が、基部１２に載置される。後方把持部材８４は、後方把持部材８４の遠位端１０６が、前方把持部材８２の近位端８８に対して係合するまで、基部１２にねじ込まれる。次いで、リアキャップ２４が、基部近位端２６で内部ねじ山３７内にねじ込まれる。リアキャップのヘッド７８は、後方把持部材８４を基部１２からねじ込むことによって、後方把持部材８４が装置ハンドルから外れるのを防止する。
【００１７】
装置が図１に示すように組み立てられると、前方把持部材８２の遠位端９２が手動で圧迫されることによって、圧迫力が、リング１８の円錐形の摺動表面６６にかかることを理解されたい。これにより、リング１８が、ロッド遠位端４２に向かって軸方向に動く。そうすると、ピストン１６が、ロッド遠位端４２に向かってピストンスロット５２を通って動く。このピストンの移動が、上記米国特許に記載されているタイプの手術装置ヘッドの手術装置を動作させる。
【００１８】
前方把持部材８２の遠位端９２にかかる手動の圧迫力を解除することによって、装置ハンドルに取り付けられた手術装置ヘッドの付勢力に応答して、ピストン１６が、ロッド近位端３８に向かって動くことが可能になる。これによって、リング１８もロッド近位端３８に向かって移動する。リング１８が動くと、リング近位端面６６が、前方把持部材遠位端９２をその元の位置に律動的に戻す。
【００１９】
本発明の装置ハンドルの新規な構造により、前方把持部材アーム１０２の遠位端９２間の径方向の間隔を、ユーザーが望むように使い易く調節することができる。後方把持部材８４を、前方把持部材８２に対して第１の時計回り方向に回転させると、前方把持部材８２が、ロッド１４に沿って軸方向に動く。前方把持部材８２の移動は、前方把持部材８２にある軸方向のスロット９４の長さによって決まる。前方把持部材の遠位端９２がロッド遠位端４２に向かって動くと、前方把持部材アーム１０２の遠位端９２が、リング近位端表面６６にわたって摺動するにつれ、径方向外向きに広がる。したがって、これにより、前方把持部材アーム１０２の直径方向で反対側の遠位端９２間の径方向の間隔が、調節可能に増大する。後方把持部材８４を、前方把持部材８２に対して第２の反時計回り方向に回転させると、前方把持部材８２は、ロッド１４の近位端３８に向かう軸方向の移動が可能になる。これにより、前方把持部材アーム１０２の遠位端９２が、リング近位端表面６６をにわたって径方向内側に摺動することが可能になる。これにより、前方把持部材アーム１０２の直径方向で反対側の遠位端９２間の径方向の間隔が縮小する。
【００２０】
したがって、上記のように、本発明の装置ハンドルによって、使用者の使い心地の良さに合わせるように、前方把持部材の遠位端９２に隣接した装置ハンドルの動作部分の幅を径方向に調節することができる。
【００２１】
本発明の特定の実施形態を説明したが、特許請求の範囲によってもたらされる所期の保護範囲から逸脱することなく、本発明の他の修正形態および変形形態を行うことができることを理解されたい。
【図面の簡単な説明】
【００２２】
【図１】本発明の装置ハンドルの断面図である。
【図２】本発明の装置ハンドルの構成部品の分解図である。
【図１】
2007514465.tif 000003
【図２】
2007514465.tif 000004
【国際調査報告】
2007514465.tif 000005